(57)【要約】  従来のタッチ装置では、位置により検出性能が異なるタッチ装置の場合、各位置における検出性能を補正するために構造的に変更する必要があり、例えば機種が異なる毎に構造の設計変更が必要となってコスト等もかかり、容易に検出性能を補正できないという問題があった。  検出性能補正装置内に、位置ごとに異なる検出性能を持ち入力信号のあった位置を検出する入力信号検出部（１４）から、入力信号のあった位置を取得する取得部（１５）と、位置ごとの補正量を定めた補正テーブル（１６ａ）と、入力信号のあった位置と補正テーブル（１６ａ）とに基づき位置ごとに補正演算する補正部（１７ａ）と、補正部（１７ａ）の補正演算結果に基づきタッチされたか否か判定する判定部（１８ａ）とを設けるようにする。
2016063373.tif 000002
【特許請求の範囲】
【請求項１】
位置ごとに異なる検出性能を持ち入力信号のあった位置を検出する入力信号検出部から、前記入力信号のあった位置を取得する取得部と、
前記位置ごとの補正量を定めた補正テーブルと、
前記入力信号のあった位置と前記補正テーブルとに基づき前記位置ごとに補正演算する補正部と、
前記補正部の補正演算結果に基づきタッチされたか否か判定する判定部と、
を備えることを特徴とする検出性能補正装置。
【請求項２】
前記入力信号検出部は、前記入力信号を検出し、
前記取得部は、前記入力信号検出部で検出された前記入力信号に基づき前記入力信号に相当する感度を取得し、
前記補正量は、前記入力信号に相当する感度を補正する量であり、
前記補正部は、前記入力信号に相当する感度を補正演算し、
前記判定部は、前記補正部の補正演算結果に加えて閾値とに基づき判定する、
ことを特徴とする請求項１記載の検出性能補正装置。
【請求項３】
前記入力信号検出部は、前記入力信号を検出し、
前記取得部は、前記入力信号検出部で検出された前記入力信号に基づき前記入力信号に相当する感度を取得し、
前記補正量は、閾値を補正する量であり、
前記補正部は、前記閾値を補正演算し、
前記判定部は、前記補正部の補正演算結果に加えて前記入力信号に相当する感度とに基づき判定する、
ことを特徴とする請求項１記載の検出性能補正装置。
【請求項４】
前記位置ごとに異なる検出性能を持ち前記入力信号のあった位置と前記入力信号を検出する入力信号検出部と、
請求項１記載の検出性能補正装置と、
を備えることを特徴とする検出性能補正タッチ装置。
【請求項５】
前記入力信号検出部は、表面の接触層の厚さが位置により異なる形状である装置を含む、
ことを特徴とする請求項４記載の検出性能補正タッチ装置。
【請求項６】
前記表面の接触層の厚さが位置により異なる形状とは、前記表面の接触層が凸状の曲面形状である、
ことを特徴とする請求項５記載の検出性能補正タッチ装置。
【請求項７】
請求項４記載の検出性能補正タッチ装置と、
所定位置に操作可能な機器の操作の情報を表示する表示部と、
前記判定部にタッチされたと判定された前記入力信号のあった位置と前記表示部が前記所定位置に表示している前記操作可能な機器の操作の情報とに基づき前記機器の操作の制御を行う制御部と、
を備えることを特徴とする検出性能補正タッチ装置付き表示装置。
【発明の詳細な説明】
【技術分野】
【０００１】
本発明は、検出性能の補正を行った上でタッチを判定する検出性能補正装置、検出性能補正タッチ装置、検出性能補正タッチ装置付き表示装置に関するものである。
【背景技術】
【０００２】
入力手段としてタッチ装置を実装した表示装置が多く利用されている。タッチ装置を実装した表示装置とは、液晶表示装置等の表示装置に装着あるいは表示装置と一体に形成され、タッチ装置が備える保護の役割を持つ接触層とセンサとからなる入力信号検出部により、指あるいはタッチペン等をタッチ装置表面にタッチさせることで入力を行い、表示装置が表示した画面等の操作を行うものである。【０００３】
近年では、デザイン性等の観点から表面に存在する接触層の厚さが位置により異なる形状のタッチ装置が求められている。例えば、タッチ装置を実装した車載ナビゲーション装置は、接触層を緩やかな凸状の曲面形状にした方がダッシュボードに格納した時にダッシュボードと統一感が出る。【０００４】
しかし、接触層の厚さが位置により異なる形状のタッチ装置は、接触層の厚みつまりタッチ装置表面からセンサまでの距離がタッチする位置によって異なるため、同じ条件でタッチした場合においても、位置によって検出性能が異なるという問題があった。【０００５】
また、特に手袋をつけた手でタッチ装置を操作する場合等、素手のときよりも指からセンサまでの距離が手袋の厚みの分だけ増え、タッチ装置が反応しにくい。そのため、位置によってタッチ装置表面からセンサまでの距離が異なる場合、タッチを判定する閾値近傍における反応が位置により異なっていた。したがって、タッチ装置の検出性能を補正する必要がある。【０００６】
この改善策として、従来のタッチ装置は、静電容量式のタッチ装置において、タッチ装置の接触層形状が、厚さが位置に関わらず一定ではなく、厚さが位置により異なる形状の接触層と接触層に対向配置されたセンサとの間に、接触層とは異なる比誘電率を持った各位置における検出性能を調整するための誘電体層を備える静電容量式のタッチ装置がある。従来のタッチ装置は、各位置における接触層と誘電体層によりそれぞれ生じる静電容量の合成した値が実質的に等しくなるように誘電体層の厚さを調整することで、各位置における検出性能を均一化する。（例えば、特許文献１参照）。ここで、タッチ装置にはいくつかの方式があり、その中に静電容量式のタッチ装置がある。静電容量式のタッチ装置は、静電容量の変化によりタッチを検出するものである。【０００７】
また、従来のタッチ装置は、静電容量式のタッチ装置において、改善策としてセンサの電極ピッチまたは電極幅を各位置によって変化させることにより静電容量を調節することで、各位置における検出性能を均一化する。（例えば、特許文献２参照）。【０００８】
さらに、従来のタッチ装置は、静電容量式のタッチ装置において、改善策としてセンサの電極面積、電極の外周の長さ、電極ピッチを各位置によって相対的に変化させることや、センサ内の電極の密度、各位置における電極の材料、グランド電極の位置を調整することにより、静電容量を調節することで、各位置における検出性能を均一化する。（例えば、特許文献３参照）。
【先行技術文献】
【特許文献】
【０００９】
【特許文献１】特開２０１０−８６２３６
【特許文献２】特開２０１２−７３７８３
【特許文献３】特開２０１３−２０５４２
【発明の概要】
【発明が解決しようとする課題】
【００１０】
しかしながら、上記した従来のタッチ装置では、位置により検出性能が異なるタッチ装置の場合、各位置における検出性能を補正するために構造的に変更する必要があり、例えば機種が異なる毎に構造の設計変更が必要となってコスト等もかかり、容易に検出性能を補正できないという問題があった。【００１１】
本発明は、上述のような問題を解決するためになされたものであって、位置により検出性能が異なるタッチ装置の場合に、比較的簡単に各位置における検出性能を補正するタッチ装置を提供することを目的とする。
【課題を解決するための手段】
【００１２】
本発明に係る検出性能補正装置は、位置ごとに異なる検出性能を持ち入力信号のあった位置を検出する入力信号検出部から、入力信号のあった位置を取得する取得部と、位置ごとの補正量を定めた補正テーブルと、入力信号のあった位置と補正テーブルとに基づき位置ごとに補正演算する補正部と、補正部の補正演算結果に基づきタッチされたか否か判定する判定部とを備える。
【発明の効果】
【００１３】
本発明に係るタッチ装置によれば、位置により検出性能が異なるタッチ装置の場合に、構造的に変更せずに補正演算することで比較的簡単に各位置における検出性能を補正することができる。
【図面の簡単な説明】
【００１４】
【図１】検出性能補正タッチ装置付き表示装置を適用した車載ナビゲーション装置の入力例である。
【図２】本発明の実施の形態１に係る検出性能補正タッチ装置付き表示装置を含む車載ナビゲーションシステムの電気的な構成を示すブロック図である。
【図３】接触層の厚さが位置により異なる場合の例である。
【図４】タッチ装置表面からセンサまでの距離と検出性能の関係の一例を示したグラフである。
【図５】タッチ装置上の座標を表した図である。
【図６】座標と感度補正係数の関係を格納したテーブルである。
【図７】本発明に係る車載ナビゲーションシステムのハードウェア構成図である。
【図８】本発明の実施の形態１に係る検出性能補正装置の動作を示すフロー図である。
【図９】本発明の実施の形態２に係る検出性能補正タッチ装置付き表示装置を含む車載ナビゲーションシステムの電気的な構成を示すブロック図である。
【図１０】座標と閾値補正係数の関係を格納したテーブルである。
【図１１】本発明の実施の形態２に係る検出性能補正装置の動作を示すフロー図である。
【発明を実施するための形態】
【００１５】
以下、本発明に係る検出性能補正装置を含む検出性能補正タッチ装置を表面の接触層の厚さが位置により異なる形状の一例である接触層が凸状の曲面となった静電容量式タッチ装置に適用し、検出性能補正タッチ装置付き表示装置を車載ナビゲーション装置に適用したものを例に挙げて、図面を参照しつつ説明する。
【００１６】
実施の形態１．
図１は、検出性能補正タッチ装置付き表示装置を適用した車載ナビゲーション装置１００の入力例である。図２は、本発明の実施の形態１に係る検出性能補正タッチ装置付き表示装置１０１を含む車載ナビゲーションシステムの電気的な構成を示すブロック図を示す。例えば、図１及び図２のように、入力画面２のような表示を指３ａでタッチすることにより、文字入力や操作ボタンの押下を行うような検出性能補正タッチ装置付き表示装置１０１、この検出性能補正タッチ装置付き表示装置１０１を適用した車載ナビゲーション装置１００、この車載ナビゲーション装置１００と操作される装置である被操作装置７とを備えた車載ナビゲーションシステムについて以下に説明する。
【００１７】
本発明の実施の形態１に係る車載ナビゲーションシステムは、操作される装置である被操作装置７と車載ナビゲーション装置１００とを備えている。
【００１８】
被操作装置７は、運転者が車載ナビゲーション装置１００を通して操作する対象である車載ナビゲーション装置１００の外部機器である。被操作装置７は、例えばエアコン装置８、オーディオ装置９、ハンズフリー通話装置１０等である。エアコン装置８は車内の温度調節等を行う装置である。オーディオ装置９は音量の調節や選曲等を行う装置である。ハンズフリー通話装置１０は車内で通話等を行う装置である。なお、被操作装置７は、例えばエアコン装置８、オーディオ装置９、ハンズフリー通話装置１０等であるとしたが、これに限るものではなく、運転者が車載ナビゲーション装置１００を通して操作する対象である車載ナビゲーション装置１００の外部機器であればどのようなものでもよい。
【００１９】
車載ナビゲーション装置１００は、目的地をタッチ入力し、検出性能補正タッチ装置付き表示装置１０１にナビゲーション情報を表示し、目的地までのナビゲーション等を行うものである。車載ナビゲーション装置１００は、ナビゲーション機能をもつナビゲーション機能部１１と検出性能補正タッチ装置付き表示装置１０１とを備えている。
【００２０】
ナビゲーション機能部１１は、ナビゲーションの機能を有する。例えば、運転者によってタッチ入力された目的地までの経路探索を行い、現在地の地名、目的地までの距離、曲がる方向等の検出性能補正タッチ装置付き表示装置１０１に表示させるナビゲーション情報を生成する。なお、検出性能補正タッチ装置付き表示装置１０１に表示させるナビゲーション情報は、運転者によってタッチ入力された目的地までの経路探索、現在地の地名、目的地までの距離、曲がる方向に限らず、ナビゲーション情報として表示するものであればどのようなものでもよいということは言うまでもない。
【００２１】
検出性能補正タッチ装置付き表示装置１０１は、検出性能補正タッチ装置１０２を備えた表示装置であり、運転者が操作可能な被操作装置７の操作あるいはナビゲーション機能部１１の操作を表示し、運転者のタッチ入力に基づき被操作装置７あるいはナビゲーション機能部１１に制御信号を出力する。検出性能補正タッチ装置付き表示装置１０１は、制御部１２と、表示部１３と、検出性能補正タッチ装置１０２とを備えている。
【００２２】
制御部１２は、表示部１３の表示の制御及びナビゲーション機能部１１の制御及び被操作装置７の制御を行うものである。制御部１２は、運転者が操作可能な被操作装置７の操作の情報を被操作装置７から取得し、表示部１３に運転者が操作可能な被操作装置７の操作の情報を表示するように制御する。具体的には、例えば、エアコン装置８の温度調節の操作が可能な場合は、エアコン装置８から温度調節の操作の情報を取得し、温度調節のボタン表示等を表示部１３に表示させる。運転者が操作可能な被操作装置７の操作の情報は、表示部１３にすべてを表示せず、選んで表示してもいいし、すべてを表示してもよい。
【００２３】
制御部１２は、運転者のタッチした座標と表示部１３の表示とに基づき運転者がタッチした操作の判定を行い、その操作を行うよう被操作装置７を制御する制御信号を被操作装置７に送信する。ここで、本実施の形態では、位置は、例えば座標で示す。具体的には、例えば、運転者が１回タッチした座標に表示部１３がエアコン装置８の温度調節のボタンであって車内の温度を１度上げるボタンを表示していた場合、制御部１２は、エアコン装置８の車内の温度を１度上げるボタンが１回タッチされたと判定し、制御部１２は車内の温度が１度上がるようにエアコン装置８に制御信号を送信する。なお、位置は座標で表すとしたが、各位置に数字を割り当てる等、位置を表すものであればどのようなものでもよい。
【００２４】
また、制御部１２は、運転者が操作可能なナビゲーション機能部１１の操作の情報をナビゲーション機能部１１から取得し、表示部１３に運転者が操作可能なナビゲーション機能部１１の操作の情報を表示するように制御する。具体的には、例えば、目的地設定の操作が可能な場合は、ナビゲーション機能部１１から目的地設定の操作の情報を取得し、目的地設定入力画面等を表示部に表示させる。運転者が操作可能なナビゲーション機能部１１の操作の情報は、表示部１３にすべてを表示せず、選んで表示してもいいし、すべてを表示してもよい。
【００２５】
制御部１２は、運転者のタッチした座標と表示部１３の表示とに基づき運転者がタッチした操作の判定を行い、その操作を行うよう表示部１３またはナビゲーション機能部１１を制御する制御信号を表示部１３またはナビゲーション機能部１１に送信する。具体的には、例えば、目的地までの経路検索において、運転者がタッチした座標に表示部１３が入力文字の表の「じ」という文字を表示していた場合、制御部１２は「じ」がタッチされたと判定し、表示部１３の目的地記入欄に「じ」を表示するよう表示部１３に制御信号を送信する。同様の要領で「じ」に続いて「た」「く」と入力され、運転者がタッチした座標に表示部１３が経路検索のボタンを表示していた場合、制御部１２は、ナビゲーション機能部１１の目的地「じたく」までの経路検索ボタンがタッチされたと判定し、制御部１２はナビゲーション機能部１１に目的地「じたく」までの経路検索を行い、ナビゲーション情報を生成するようナビゲーション機能部１１に制御信号を送信する。
【００２６】
制御部１２は、ナビゲーション機能部１１が生成したナビゲーション情報等を表示部１３に表示するよう制御する。なお、ナビゲーション機能部１１が生成したナビゲーション情報等を表示部１３に表示するよう制御するとしたが、ナビゲーション機能部１１が生成したナビゲーション情報に限定されるものではなく、制御部１２は表示すべき情報を表示するよう表示部１３を制御するものである。
【００２７】
表示部１３は、制御部１２に表示するよう指示された情報を表示する。例えば、運転者が操作可能な被操作装置７の操作あるいはナビゲーション機能部１１の操作等を表示する。また、目的地記入欄にタッチ入力された文字やナビゲーション機能部１１で生成されたナビゲーション情報等を表示する。なお、上記に限らず、制御部１２に表示するよう指示された情報を表示することは言うまでもない。
【００２８】
検出性能補正タッチ装置１０２は、タッチ装置が検出した座標を用いて入力信号である静電容量の変化に相当する感度の補正を行う検出性能補正装置１０３を備えたタッチ装置であり、入力信号である静電容量の変化のあった座標と静電容量の変化に相当する感度を取得し、その静電容量の変化に相当する感度を静電容量の変化のあった座標を用いて補正して、運転者がタッチしたかどうかを判定する。検出性能補正タッチ装置１０２は、入力信号検出部１４と、検出性能補正装置１０３とを備えている。ここで、本実施の形態では入力信号は静電容量の変化であり、感度とは入力信号に相当する信号つまり本実施の形態では静電容量の変化に相当する信号である。
【００２９】
入力信号検出部１４は、本実施の形態では静電容量式であり、入力信号である静電容量の変化及び静電容量の変化のあった座標を検出する。
【００３０】
検出性能補正装置１０３は、静電容量の変化に相当する感度を補正し、運転者がタッチしたかどうかを判定する。検出性能補正装置１０３は、取得部１５と、補正テーブル１６ａと、補正部１７ａと、感度合成部１９ａと、判定部１８ａとを備えている。
【００３１】
取得部１５は、入力信号検出部１４で検出された静電容量の変化のあった座標と、入力信号検出部１４で検出された静電容量の変化に基づき静電容量の変化に相当する感度を取得する。
【００３２】
補正テーブル１６ａは、各座標における静電容量の変化に相当する感度を補正するための感度補正係数を格納したテーブルである。接触層の厚さが位置により異なる形状のタッチ装置は、接触層の厚みつまりタッチ装置表面からセンサまでの距離がタッチする座標によって異なるため、同じ条件でタッチした場合においても、座標によって検出性能が異なる。図３は、接触層４の厚さが位置により異なる場合の例である。接触層４は、凸状の曲面を有する樹脂パネルである。なお、接触層４は凸状の曲面形状としたが、厚さが位置により異なる形状であればよい。また、接触層４は樹脂パネルであるとしたが、ガラス、ポリカーボネート、アクリル、ナイロンプラスチック、フレキシブルビニールフィルム等でもよいことは言うまでもない。例えば、図３ように接触層４の厚さが位置により異なる形状の静電容量式の例を考えると、タッチする座標が異なる指３ｂと指３ｃで、指３ｃの方が指３ｂよりタッチ装置表面からセンサ６までの距離が長い。したがって、同じようにタッチしても、指３ｃの方が指３ｂよりタッチ装置表面からセンサ６までの距離が長いため、指３ｃの方が指３ｂより検出性能が悪くなる。図４はタッチ装置表面からセンサまでの距離と検出性能の関係の一例を示したグラフである。例えば、接触層の厚みが１のときの検出性能を１とすると、タッチ装置表面からセンサまでの距離が大きくなるほど検出性能が悪くなる。つまり、タッチ装置表面からセンサまでの距離が大きい座標ほど、検出性能が悪い。したがって、取得部１５で取得した入力信号に相当する感度である静電容量の変化に相当する感度を座標に関わらず検出性能を一定にした補正感度にするためには、補正感度を感度補正係数に入力信号に相当する感度である静電容量の変化に相当する感度を掛けたものとすればよい。
【００３３】
感度補正係数については、図４を例に挙げると、タッチ装置表面からセンサまでの距離が１の場合からタッチ装置表面からセンサまでの距離が２倍になると検出性能は０．７５倍となるため、タッチ装置表面からセンサまでの距離が２倍の場合は０．７５倍の逆数である１／０．７５を感度補正係数として、入力信号に相当する感度に掛けることで、タッチ装置表面からセンサまでの距離が１の場合と同じ検出性能になる。このように、タッチ装置表面からセンサまでの距離と検出性能の関係に応じてテーブルを作成する。図５はタッチ装置２０上の座標２１を表した図であり、図６は座標と感度補正係数の関係を格納したテーブルである。例えば、図３のような接触層４が凸状の曲面形状であり、図５のように座標２１を取るとすると、補正テーブル１６ａは、座標によってタッチ装置表面からセンサまでの距離は決まっているため、図６のように座標ごとに感度補正係数を設定する。
【００３４】
入力信号に相当する感度である静電容量の変化に相当する感度に、補正テーブル１６ａの静電容量の変化のあった座標における感度補正係数を掛けることにより補正感度が求まり、座標に関わらず検出性能を一定にすることができる。なお、座標の取り方は図５に限らない。また、図４はタッチ装置表面からセンサまでの距離と検出性能の関係のグラフの一例であるため、タッチ装置表面からセンサまでの距離と検出性能の関係のグラフはこれに限らない。タッチ装置表面からセンサまでの距離の基準は本実施の形態では、タッチ装置表面からセンサまでの距離が最も短い距離を１としたが、これに限らない。さらにタッチ装置表面からセンサまでの距離と検出性能の関係のグラフに応じて補正テーブル１６ａに格納される値も変わるため、補正テーブル１６ａに格納される値は図６に限らない。
【００３５】
補正部１７ａは、取得部１５で取得した静電容量の変化のあった座標と補正テーブル１６ａの座標とに基づき、補正テーブル１６ａから感度補正係数を取得する。補正部１７ａは、取得部１５で取得した静電容量の変化に相当する感度と補正テーブル１６ａから取得した感度補正係数を掛けあわせる補正演算を行い、補正感度を演算する。
【００３６】
感度合成部１９ａは、複数の座標に跨って複数の静電容量の変化に相当する感度が取得された場合、補正部１７ａが演算した各座標の補正感度を合成する。感度合成部１９ａは、座標ごとに重みを付けて合成演算する。なお、座標ごとに重みを付けて合成演算するとしたが、これに限らない。１つの座標で静電容量の変化に相当する感度が取得された場合は、補正部１７ａが演算した補正感度はそのままにする。
【００３７】
判定部１８ａは、感度合成部１９ａから出力された補正感度が閾値以上であるか否かを判定する。判定部１８ａは、補正感度が閾値以上である場合はタッチされたと判定し、補正感度が閾値未満である場合はタッチされていないと判定する。閾値は判定部１８ａに予め設定されている。なお、閾値は判定部１８ａに予め設定されているとしたが、外部から取得してもよい。
【００３８】
本発明の実施の形態１に係る車載ナビゲーションシステムのハードウェア構成について説明する。図７は、本発明に係る車載ナビゲーションシステムのハードウェア構成図を示す。入力信号検出部１４は、静電容量式の入力信号検出装置２３であり、表示部１３は、ディスプレイ２６である。なお、表示部１３はディスプレイとしたが、表示させるものであれば何でもよい。
【００３９】
ナビゲーション機能部１１、制御部１２、取得部１５、補正部１７ａ、判定部１８ａ及び感度合成部１９ａは、ソフトウェアに基づくプロセッサ２４がメモリ２５に記憶されたプログラムを実行することにより、実現される。補正テーブル１６ａは、メモリ２５に記憶されている。なお、プログラム及び補正テーブル１６ａを記憶しているのはメモリ２５としたが、記憶できるものであれば何でもよい。
【００４０】
被操作装置７は、上記と同様で、運転者が車載ナビゲーション装置を通して操作する対象である車載ナビゲーション装置の外部機器である。被操作装置７は、例えばエアコン装置８、オーディオ装置９、ハンズフリー通話装置１０等である。
【００４１】
次に、本発明の実施の形態１に係る検出性能補正タッチ装置付き表示装置１０１が備えている検出性能補正装置１０３の動作について説明する。図８は本発明の実施の形態１に係る検出性能補正装置１０３の動作を示すフロー図である。図８を用いて、検出性能補正装置１０３の動作を以下に説明する。
【００４２】
電源をＯＮにすることあるいは開始操作がなされる等の処理の開始のトリガーがあったら、取得部１５は、入力信号検出部１４が検出した静電容量の変化のあった座標と、入力信号検出部１４が検出した静電容量の変化に基づき静電容量の変化に相当する感度とを取得する（ステップＳ１０１）。
【００４３】
取得部１５が静電容量の変化のあった座標と静電容量の変化に相当する感度とを取得できなかった場合（ステップＳ１０１：Ｎｏ）、取得部１５は、静電容量の変化のあった座標と静電容量の変化に相当する感度とを取得できるまで、静電容量の変化のあった座標と静電容量の変化に相当する感度との取得を試みる。
【００４４】
取得部１５が静電容量の変化のあった座標と静電容量の変化に相当する感度とを取得できた場合（ステップＳ１０１：Ｙｅｓ）、補正部１７ａは、取得部１５で取得した静電容量の変化のあった座標と補正テーブル１６ａの座標が一致する座標の感度補正係数を補正テーブル１６ａから取得する。補正部１７ａは、取得部１５で取得した静電容量の変化に相当する感度と補正テーブル１６ａから取得した感度補正係数を掛けあわせる補正演算を行い、補正感度を演算する（ステップＳ１０２）。
【００４５】
感度合成部１９ａは、複数の座標に跨って静電容量の変化に相当する感度が取得された場合は、補正部１７ａが演算した各座標の補正感度を座標ごとに重みを付けて合成演算し、１つの座標で静電容量の変化に相当する感度が取得された場合は、補正部１７ａが演算した補正感度はそのままにする（ステップＳ１０３）。
【００４６】
判定部１８ａは、感度合成部１９ａから出力された補正感度が閾値以上であるか否かを判定する（ステップＳ１０４）。補正感度が閾値以上である場合（ステップＳ１０４：Ｙｅｓ）、判定部１８ａはタッチされたと判定する（ステップＳ１０５）。補正感度が閾値未満である場合（ステップＳ１０４：Ｎｏ）、判定部１８ａはタッチされていないと判定し、ステップＳ１０１に戻る。
【００４７】
電源をＯＦＦにすることあるいは終了操作がなされる等の処理の終了のトリガーがあるまで上記のような処理を繰り返す。
【００４８】
以上述べたように、本実施の形態にて示した検出性能補正装置１０３、検出性能補正タッチ装置１０２及び検出性能補正タッチ装置付き表示装置１０１は、補正部１７ａが取得部１５で取得した入力信号である静電容量の変化のあった座標と補正テーブル１６ａの座標が一致する座標の感度補正係数を補正テーブル１６ａから取得する。補正部１７ａが取得部１５で取得した静電容量の変化に相当する感度と補正テーブル１６ａから取得した感度補正係数を掛けあわせる補正演算をすることで、接触層の厚さが位置により異なる形状のタッチ装置の場合に、構造的に変更せずに補正演算することで比較的簡単に機種毎に各座標における検出性能を補正することができる。
【００４９】
さらに、本実施の形態にて示した検出性能補正装置１０３、検出性能補正タッチ装置１０２及び検出性能補正タッチ装置付き表示装置１０１は、車載ナビゲーション装置に適応時、入力信号検出部１４の接触層４を凸状の曲面形状にすることで、ダッシュボードに格納した時にダッシュボードと統一感が出てデザイン性が向上する。
【００５０】
なお、上記した本実施の形態にて示した検出性能補正装置１０３、検出性能補正タッチ装置１０２及び検出性能補正タッチ装置付き表示装置１０１では、補正テーブル１６ａは図６のように座標と感度補正係数の関係を格納したテーブルとしたが、座標とタッチ装置表面からセンサまでの距離の関係を格納したテーブル及びタッチ装置表面からセンサまでの距離と感度補正係数の関係を格納したテーブルでもよい。このように構成された検出性能補正装置、検出性能補正タッチ装置及び検出性能補正タッチ装置付き表示装置であっても、補正部１７ａは取得部１５で取得した入力信号である静電容量の変化のあった座標と、補正テーブル１６ａの座標とタッチ装置表面からセンサまでの距離の関係を格納したテーブルの座標とが一致する座標のタッチ装置表面からセンサまでの距離を取得する。補正部１７ａは取得した座標が一致する座標のタッチ装置表面からセンサまでの距離と、補正テーブル１６ａのタッチ装置表面からセンサまでの距離と感度補正係数の関係を格納したテーブルのタッチ装置表面からセンサまでの距離とが一致するタッチ装置表面からセンサまでの距離の感度補正係数を取得するため、上記した実施の形態１の効果を得ることができる。
【００５１】
上記した本実施の形態にて示した検出性能補正装置１０３、検出性能補正タッチ装置１０２及び検出性能補正タッチ装置付き表示装置１０１では、検出性能補正装置１０３、検出性能補正タッチ装置１０２及び検出性能補正タッチ装置付き表示装置１０１を車載ナビゲーション装置に適用したが、これに限らない。検出性能補正装置１０３、検出性能補正タッチ装置１０２及び検出性能補正タッチ装置付き表示装置１０１を携帯電話、ＡＴＭ装置、プリンター、テレビジョン装置、デジタルカメラ、ノート型パーソナルコンピュータ等タッチ装置を使用する電子機器に適応してもよい。このように構成された検出性能補正装置、検出性能補正タッチ装置及び検出性能補正タッチ装置付き表示装置であっても、上記した実施の形態１の効果を得ることができる。
【００５２】
上記した本実施の形態にて示した検出性能補正装置１０３、検出性能補正タッチ装置１０２及び検出性能補正タッチ装置付き表示装置１０１では、検出性能補正装置１０３、検出性能補正タッチ装置１０２及び検出性能補正タッチ装置付き表示装置１０１を静電容量式タッチ装置に適用したが、これに限らない。他の様式のタッチ装置にも適用可能である。この場合、入力信号は静電容量の変化ではなく、適用した様式の検出するものになる。このように構成された検出性能補正装置、検出性能補正タッチ装置及び検出性能補正タッチ装置付き表示装置であっても、上記した実施の形態１の効果を得ることができる。
【００５３】
上記した本実施の形態にて示した検出性能補正装置１０３、検出性能補正タッチ装置１０２及び検出性能補正タッチ装置付き表示装置１０１では、検出性能補正装置１０３、検出性能補正タッチ装置１０２及び検出性能補正タッチ装置付き表示装置１０１を接触層の厚さが位置により異なる形状に適用したが、これに限らない。接触層の厚さが位置により異なる形状でなくとも、座標によって検出性能が異なるものであれば適用可能である。このように構成された検出性能補正装置、検出性能補正タッチ装置及び検出性能補正タッチ装置付き表示装置であっても、上記した実施の形態１の効果を得ることができる。
【００５４】
実施の形態２．
実施の形態１では、補正部１７ａが入力信号である静電容量の変化のあった座標と各座標における静電容量の変化に相当する感度を補正するための感度補正係数を格納した補正テーブル１６ａとに基づき静電容量の変化に相当する感度の補正演算を行い、検出性能を補正した。実施の形態２に係る検出性能補正タッチ装置付き表示装置２０１は、図９、図１０及び図１１に示すように、静電容量の変化に相当する感度を補正する代わりに、予め設定している基準となる閾値を補正することで検出性能を補正する。補正部１７ｂが入力信号である静電容量の変化のあった座標と予め設定している基準となる閾値を各座標において補正するための閾値補正係数を格納した補正テーブル１６ｂとに基づき予め設定している基準となる閾値の補正演算を行い、検出性能を補正する点で異なっている。それ以外の検出性能補正装置２０３、検出性能補正タッチ装置２０２及び検出性能補正タッチ装置付き表示装置２０１は、実施の形態１と同様である。
【００５５】
図９は本発明の実施の形態２に係る検出性能補正タッチ装置付き表示装置２０１を含む車載ナビゲーションシステムの電気的な構成を示すブロック図を示す。以下の説明において既に説明した構成及び動作については同一符号を付して、重複する説明を省略する。
【００５６】
補正テーブル１６ｂは、予め設定している基準となる閾値を各座標において補正するための閾値補正係数を格納したテーブルである。判定部１８ｂが取得部１５で取得した入力信号に相当する感度である静電容量の変化に相当する感度と閾値とを比較して判定する場合、座標に関わらず検出性能を一定にするためには、判定部１８ｂで判定に用いる閾値に、閾値補正係数に予め設定している閾値を掛けたものである補正閾値を用いればよい。補正テーブル１６ｂは、この補正閾値を求める演算に使用する閾値補正係数を格納したテーブルである。ここで、予め設定している閾値は基準となる閾値であり、本実施の形態では、実施の形態１の判定部１８ａに予め設定されている閾値と同様とする。なお、予め設定されている閾値は実施の形態１の判定部１８ａに予め設定されている閾値の値と同様としたが、どのような値でもよいことは言うまでもない。また、本実施の形態では、実施の形態１と異なり、予め設定されている閾値は補正部１７ｂが持っているとする。
【００５７】
閾値補正係数については、図４を例に挙げると、タッチ装置表面からセンサまでの距離が１の場合からタッチ装置表面からセンサまでの距離が２倍になると検出性能は０．７５倍となるため、タッチ装置表面からセンサまでの距離が２倍の場合は０．７５倍を閾値補正係数として、予め設定されている閾値に掛けることで、タッチの判定時にタッチ装置表面からセンサまでの距離が１の場合と同じ検出性能になる。このように、タッチ装置表面からセンサまでの距離と検出性能の関係に応じてテーブルを作成する。図１０は座標と閾値補正係数の関係を格納したテーブルである。例えば、図３のような接触層４が凸状の曲面形状であり、図５のように座標２１を取るとすると、補正テーブル１６ｂは、座標によってタッチ装置表面からセンサまでの距離は決まっているため、図１０のように座標ごとに閾値補正係数を設定する。
【００５８】
予め設定されている閾値に、補正テーブル１６ｂの静電容量の変化のあった座標における閾値補正係数を掛けることにより各座標における補正閾値が求まり、座標に関わらず検出性能を一定にすることができる。なお、座標の取り方は図５に限らない。また、図４はタッチ装置表面からセンサまでの距離と検出性能の関係のグラフの一例であるため、タッチ装置表面からセンサまでの距離と検出性能の関係のグラフはこれに限らない。タッチ装置表面からセンサまでの距離の基準は本実施の形態では、最もタッチ装置表面からセンサまでの距離が短い距離を１としたが、これに限らない。さらにタッチ装置表面からセンサまでの距離と検出性能の関係のグラフに応じて補正テーブル１６ｂに格納される値も変わるため、補正テーブル１６ｂに格納される値は図１０に限らない。
【００５９】
補正部１７ｂは、取得部１５で取得した静電容量の変化のあった座標と補正テーブル１６ｂの座標とに基づき、補正テーブル１６ｂから閾値補正係数を取得する。また、本実施の形態では、実施の形態１と異なり、予め設定されている閾値は補正部１７ｂが持っているとする。補正部１７ｂは、予め設定されている閾値と補正テーブル１６ｂから取得した閾値補正係数を掛けあわせる補正演算を行い、補正閾値を演算する。
【００６０】
閾値合成部２２は、複数の座標に跨って複数の静電容量の変化に相当する感度が取得された場合、補正部１７ｂが演算した各座標の補正閾値を合成する。閾値合成部２２は、座標ごとに重みを付けて合成演算する。なお、座標ごとに重みを付けて合成演算するとしたが、これに限らない。１つの座標で静電容量の変化に相当する感度が取得された場合は、補正部１７ｂが演算した補正閾値はそのままにする。
【００６１】
感度合成部１９ｂは、複数の座標に跨って複数の静電容量の変化に相当する感度が取得された場合、取得部１５が取得した静電容量の変化に相当する感度を合成する。感度合成部１９ｂは、座標ごとに重みを付けて合成演算する。なお、座標ごとに重みを付けて合成演算するとしたが、これに限らない。１つの座標で静電容量の変化に相当する感度が取得された場合は、取得部１５が取得した静電容量の変化に相当する感度はそのままにする。
【００６２】
判定部１８ｂは、感度合成部１９ｂから出力された静電容量の変化に相当する感度が閾値合成部２２から出力された補正閾値以上であるか否かを判定する。判定部１８ｂは、静電容量の変化に相当する感度が補正閾値以上である場合はタッチされたと判定し、静電容量の変化に相当する感度が補正閾値未満である場合はタッチされていないと判定する。
【００６３】
本発明の実施の形態２に係る車載ナビゲーションシステムのハードウェア構成について、図７を用いて説明する。以下の説明において既に説明した構成については同一符号を付して、重複する説明を省略する。
【００６４】
ナビゲーション機能部１１、制御部１２、取得部１５、補正部１７ｂ、判定部１８ｂ、感度合成部１９ｂ及び閾値合成部２２は、ソフトウェアに基づくプロセッサ２４がメモリ２５に記憶されたプログラムを実行することにより、実現される。補正テーブル１６ｂは、メモリ２５に記憶されている。なお、プログラム及び補正テーブル１６ｂを記憶しているのはメモリ２５としたが、記憶できるものであれば何でもよい。
【００６５】
次に、本発明の実施の形態２に係る検出性能補正タッチ装置付き表示装置２０１が備えている検出性能補正装置２０３の動作について説明する。図１１は本発明の実施の形態２に係る検出性能補正装置２０３の動作を示すフロー図である。図１１を用いて、検出性能補正装置２０３の動作を以下に説明する。以下の説明において既に説明した構成及び動作については同一符号を付して、重複する説明を省略する。
【００６６】
ステップＳ２０１は実施の形態１のステップＳ１０１と同様である。取得部１５が静電容量の変化のあった座標と静電容量の変化に相当する感度を取得できた場合（ステップＳ２０１：Ｙｅｓ）、補正部１７ｂは、取得部１５で取得した静電容量の変化のあった座標と補正テーブル１６ｂの座標が一致する座標の閾値補正係数を補正テーブル１６ｂから取得する。補正部１７ｂは、補正部１７ｂに予め設定されている閾値と補正テーブル１６ｂから取得した閾値補正係数を掛けあわせる補正演算を行い、補正閾値を演算する（ステップＳ２０６）。
【００６７】
閾値合成部２２は、複数の座標に跨って複数の静電容量の変化に相当する感度が取得された場合は、補正部１７ｂが演算した各座標の補正閾値を座標ごとに重みを付けて合成演算し、１つの座標で静電容量の変化に相当する感度が取得された場合は、補正部１７ｂが演算した補正閾値はそのままにする（ステップＳ２０７）。
【００６８】
感度合成部１９ｂは、複数の座標に跨って複数の静電容量の変化に相当する感度が取得された場合は、取得部１５が取得した各座標の静電容量の変化に相当する感度を座標ごとに重みを付けて合成演算し、１つの座標で静電容量の変化に相当する感度が取得された場合は、取得部１５が取得した静電容量の変化に相当する感度はそのままにする（ステップＳ２０３）。
【００６９】
判定部１８ｂは、感度合成部１９ｂから出力された静電容量の変化に相当する感度が閾値合成部２２から出力された補正閾値以上であるか否かを判定する（ステップＳ２０４）。静電容量の変化に相当する感度が補正閾値以上である場合（ステップＳ２０４：Ｙｅｓ）、判定部１８ｂはタッチされたと判定する（ステップＳ２０５）。静電容量の変化に相当する感度が補正閾値未満である場合（ステップＳ２０４：Ｎｏ）、判定部１８ｂはタッチされていないと判定し、ステップＳ２０１に戻る。
【００７０】
電源をＯＦＦにすることあるいは終了操作がなされる等の処理の終了のトリガーがあるまで上記のような処理を繰り返す。
【００７１】
以上述べたように、本実施の形態にて示した検出性能補正装置２０３、検出性能補正タッチ装置２０２及び検出性能補正タッチ装置付き表示装置２０１は、補正部１７ｂが取得部１５で取得した入力信号である静電容量の変化のあった座標と補正テーブル１６ｂの座標が一致する座標の閾値補正係数を補正テーブル１６ｂから取得する。補正部１７ｂが予め設定している基準となる閾値と補正テーブル１６ｂから取得した閾値補正係数を掛けあわせる補正演算をすることで、接触層の厚さが位置により異なる形状のタッチ装置の場合に、構造的に変更せずに補正演算することで比較的簡単に機種毎に各座標における検出性能を補正することができる。
【００７２】
さらに、本実施の形態にて示した検出性能補正装置２０３、検出性能補正タッチ装置２０２及び検出性能補正タッチ装置付き表示装置２０１も、実施の形態１と同様に、車載ナビゲーション装置に適応時、入力信号検出部１４の接触層４を凸状の曲面形状にすることで、ダッシュボードに格納した時にダッシュボードと統一感が出てデザイン性が向上する。
【００７３】
なお、上記した本実施の形態にて示した検出性能補正装置２０３、検出性能補正タッチ装置２０２及び検出性能補正タッチ装置付き表示装置２０１では、補正テーブル１６ｂは図１０のように座標と閾値補正係数の関係を格納したテーブルとしたが、座標とタッチ装置表面からセンサまでの距離の関係を格納したテーブル及びタッチ装置表面からセンサまでの距離と閾値補正係数の関係を格納したテーブルでもよい。このように構成された検出性能補正装置、検出性能補正タッチ装置及び検出性能補正タッチ装置付き表示装置であっても、補正部１７ｂは取得部１５で取得した入力信号である静電容量の変化のあった座標と、補正テーブル１６ｂの座標とタッチ装置表面からセンサまでの距離の関係を格納したテーブルの座標とが一致する座標のタッチ装置表面からセンサまでの距離を取得する。補正部１７ｂは取得した座標が一致する座標のタッチ装置表面からセンサまでの距離と、補正テーブル１６ｂのタッチ装置表面からセンサまでの距離と閾値補正係数の関係を格納したテーブルのタッチ装置表面からセンサまでの距離とが一致するタッチ装置表面からセンサまでの距離の閾値補正係数を取得するため、上記した実施の形態２の効果を得ることができる。
【００７４】
また、上記した本実施の形態にて示した検出性能補正装置２０３、検出性能補正タッチ装置２０２及び検出性能補正タッチ装置付き表示装置２０１では、補正テーブル１６ｂは図１０のように座標と閾値補正係数の関係を格納したテーブルとしたが、補正テーブル１６ｂは座標と各座標における補正閾値の関係を格納したテーブルとしてもよい。このように構成された検出性能補正装置、検出性能補正タッチ装置及び検出性能補正タッチ装置付き表示装置であっても、例えば以下の３つの方法を適用すればよいため、上記した実施の形態２の効果を得ることができる。
１つ目の方法は、補正部１７ｂは取得部１５で取得した静電容量の変化のあった座標と補正テーブル１６ｂの座標とが一致する座標の補正閾値を補正テーブル１６ｂから取得する。閾値合成部２２は、複数の座標に跨って複数の静電容量の変化に相当する感度が取得された場合は、補正部１７ｂが補正テーブル１６ｂから取得した各座標の補正閾値を座標ごとに重みを付けて合成演算し、１つの座標で静電容量の変化に相当する感度が取得された場合は、補正部１７ｂが補正テーブル１６ｂから取得した補正閾値はそのままにする。判定部１８ｂは、その補正閾値を用いて判定する。
２つ目の方法は、補正部１７ｂをなくし、補正テーブル１６ｂは取得部１５で取得した静電容量の変化のあった座標を取得し、静電容量の変化のあった座標と補正テーブル１６ｂの座標とが一致する座標の補正閾値を閾値合成部２２に出力する。閾値合成部２２は、複数の座標に跨って複数の静電容量の変化に相当する感度が取得された場合は、補正テーブル１６ｂから出力された各座標の補正閾値を座標ごとに重みを付けて合成演算し、１つの座標で静電容量の変化に相当する感度が取得された場合は、補正テーブル１６ｂから出力された補正閾値はそのままにする。判定部１８ｂは、その補正閾値を用いて判定する。
３つ目の方法は、補正部１７ｂをなくし、閾値合成部２２は取得部１５から静電容量の変化のあった座標を取得し、静電容量の変化のあった座標と補正テーブル１６ｂの座標とが一致する座標の補正閾値を補正テーブル１６ｂから取得する。閾値合成部２２は、複数の座標に跨って複数の静電容量の変化に相当する感度が取得された場合は、補正テーブル１６ｂから取得した各座標の補正閾値を座標ごとに重みを付けて合成演算し、１つの座標で静電容量の変化に相当する感度が取得された場合は、補正テーブル１６ｂから取得した補正閾値はそのままにする。判定部１８ｂは、その補正閾値を用いて判定する。
【００７５】
上記した本実施の形態にて示した検出性能補正装置２０３、検出性能補正タッチ装置２０２及び検出性能補正タッチ装置付き表示装置２０１では、予め設定されている閾値は補正部１７ｂが持っているとしたが、予め設定されている閾値は判定部１８ｂが持ち、補正部１７ｂは判定部１８ｂから予め設定されている閾値を取得して補正演算してもよい。また、予め設定されている閾値は補正テーブル１６ｂが持ち、補正部１７ｂは補正テーブル１６ｂから予め設定されている閾値を閾値補正係数と一緒に取得して補正演算してもよい。このように構成された検出性能補正装置、検出性能補正タッチ装置及び検出性能補正タッチ装置付き表示装置であっても、上記した実施の形態２の効果を得ることができる。
【００７６】
上記した本実施の形態にて示した検出性能補正装置２０３、検出性能補正タッチ装置２０２及び検出性能補正タッチ装置付き表示装置２０１も、実施の形態１と同様に、検出性能補正装置２０３、検出性能補正タッチ装置２０２及び検出性能補正タッチ装置付き表示装置２０１を車載ナビゲーション装置に適用したが、これに限らない。検出性能補正装置２０３、検出性能補正タッチ装置２０２及び検出性能補正タッチ装置付き表示装置２０１を携帯電話、ＡＴＭ装置、プリンター、テレビジョン装置、デジタルカメラ、ノート型パーソナルコンピュータ等タッチ装置を使用する電子機器に適応してもよい。このように構成された検出性能補正装置、検出性能補正タッチ装置及び検出性能補正タッチ装置付き表示装置であっても、上記した実施の形態２の効果を得ることができる。
【００７７】
上記した本実施の形態にて示した検出性能補正装置２０３、検出性能補正タッチ装置２０２及び検出性能補正タッチ装置付き表示装置２０１も、実施の形態１と同様に、検出性能補正装置２０３、検出性能補正タッチ装置２０２及び検出性能補正タッチ装置付き表示装置２０１を静電容量式タッチ装置に適用したが、これに限らない。他の様式のタッチ装置にも適用可能である。この場合、入力信号は静電容量の変化ではなく、適用した様式の検出するものになる。このように構成された検出性能補正装置、検出性能補正タッチ装置及び検出性能補正タッチ装置付き表示装置であっても、上記した実施の形態２の効果を得ることができる。
【００７８】
上記した本実施の形態にて示した検出性能補正装置２０３、検出性能補正タッチ装置２０２及び検出性能補正タッチ装置付き表示装置２０１も、実施の形態１と同様に、検出性能補正装置２０３、検出性能補正タッチ装置２０２及び検出性能補正タッチ装置付き表示装置２０１を接触層の厚さが位置により異なる形状に適用したが、これに限らない。接触層の厚さが位置により異なる形状でなくとも、座標によって検出性能が異なるものであれば適用可能である。このように構成された検出性能補正装置、検出性能補正タッチ装置及び検出性能補正タッチ装置付き表示装置であっても、上記した実施の形態２の効果を得ることができる。
【００７９】
ところで、上記した実施の形態に示した検出性能補正装置、検出性能補正タッチ装置及び検出性能補正タッチ装置付き表示装置は一例に過ぎず、適宜、組み合わせて構成することが出来るものであって、実施の形態単独の構成に限られるものではない。
【符号の説明】
【００８０】
２  入力画面、  ３ａ,  ３ｂ,  ３ｃ  指、  ４  接触層、  ５  タッチ装置、
６  センサ、  ７  被操作装置、  ８  エアコン装置、
９  オーディオ装置、  １０  ハンズフリー通話装置、  １１  ナビゲーション機能部、
１２  制御部、  １３  表示部、  １４  入力信号検出部、  １５  取得部、
１６ａ,  １６ｂ  補正テーブル、  １７ａ,  １７ｂ  補正部、
１８ａ,  １８ｂ  判定部、  １９ａ,  １９ｂ  感度合成部、  ２０  タッチ装置、
２１  座標、  ２２  閾値合成部、  ２３  入力信号検出装置、  ２４  プロセッサ、
２５  メモリ、  ２６  ディスプレイ、  １００,  ２００  車載ナビゲーション装置、
１０１,  ２０１  検出性能補正タッチ装置付き表示装置、
１０２,  ２０２  検出性能補正タッチ装置、  １０３,  ２０３  検出性能補正装置。
【図１】
2016063373.tif 000003
【図２】
2016063373.tif 000004
【図３】
2016063373.tif 000005
【図４】
2016063373.tif 000006
【図５】
2016063373.tif 000007
【図６】
2016063373.tif 000008
【図７】
2016063373.tif 000009
【図８】
2016063373.tif 000010
【図９】
2016063373.tif 000011
【図１０】
2016063373.tif 000012
【図１１】
2016063373.tif 000013
【手続補正書】
【提出日】平成28年10月3日(2016.10.3)
【手続補正２】
【補正対象書類名】明細書
【補正対象項目名】００１２
【補正方法】変更
【補正の内容】
【００１２】
本発明に係る検出性能補正タッチ装置は、位置ごとに異なる検出性能を持ち入力信号のあった位置と入力信号を検出する入力信号検出部と、入力信号検出部から、入力信号のあった位置を取得する取得部と、位置ごとの補正量を定めた補正テーブルと、入力信号のあった位置と補正テーブルとに基づき位置ごとに補正演算する補正部と、補正部の補正演算結果に基づきタッチされたか否か判定する判定部とを備え、入力信号検出部は、表面の接触層の厚さが位置により異なる形状である装置を含む。
【手続補正３】
【補正対象書類名】特許請求の範囲
【補正対象項目名】全文
【補正方法】変更
【補正の内容】
【特許請求の範囲】
【請求項１】
位置ごとに異なる検出性能を持ち入力信号のあった位置と前記入力信号を検出する入力信号検出部と、
前記入力信号検出部から、前記入力信号のあった位置を取得する取得部と、
前記位置ごとの補正量を定めた補正テーブルと、
前記入力信号のあった位置と前記補正テーブルとに基づき前記位置ごとに補正演算する補正部と、
前記補正部の補正演算結果に基づきタッチされたか否か判定する判定部と、
を備え、
前記入力信号検出部は、表面の接触層の厚さが位置により異なる形状である装置を含む
ことを特徴とする検出性能補正タッチ装置。
【請求項２】
前記取得部は、前記入力信号検出部で検出された前記入力信号に基づき前記入力信号に相当する感度を取得し、
前記補正量は、前記入力信号に相当する感度を補正する量であり、
前記補正部は、前記入力信号に相当する感度を補正演算し、
前記判定部は、前記補正部の補正演算結果に加えて閾値とに基づき判定する、
ことを特徴とする請求項１記載の検出性能補正タッチ装置。
【請求項３】
前記取得部は、前記入力信号検出部で検出された前記入力信号に基づき前記入力信号に相当する感度を取得し、
前記補正量は、閾値を補正する量であり、
前記補正部は、前記閾値を補正演算し、
前記判定部は、前記補正部の補正演算結果に加えて前記入力信号に相当する感度とに基づき判定する、
ことを特徴とする請求項１記載の検出性能補正タッチ装置。
【請求項４】
前記表面の接触層の厚さが位置により異なる形状とは、前記表面の接触層が凸状の曲面形状である、
ことを特徴とする請求項１記載の検出性能補正タッチ装置。
【請求項５】
請求項１記載の検出性能補正タッチ装置と、
所定位置に操作可能な機器の操作の情報を表示する表示部と、
前記判定部にタッチされたと判定された前記入力信号のあった位置と前記表示部が前記所定位置に表示している前記操作可能な機器の操作の情報とに基づき前記機器の操作の制御を行う制御部と、
を備えることを特徴とする検出性能補正タッチ装置付き表示装置。
【国際調査報告】
2016063373.tif 000014
2016063373.tif 000015
2016063373.tif 000016